(57)【要約】  本発明は、静電気保護回路、アレイ基板及び表示装置を提供する。前記静電気保護回路は、高レベル電圧が印加される第１電圧線と、低レベル電圧が印加される第２電圧線と、直線に配置され且つ活性層を共有する複数の第１スイッチユニット及び複数の第２スイッチユニットを含むスイッチアセンブリと、を含み、前記複数の第１スイッチユニットは、それぞれ複数本の信号線と第１電圧線との間に接続され、信号線における負の静電気に応答してオンになり、前記複数の第２スイッチユニットは、それぞれ複数本の信号線と第２電圧線との間に接続され、信号線における正の静電気に応答してオンになり、前記複数本の信号線は、アレイ基板の周辺領域に設置される。本発明の静電気保護回路、アレイ基板及び表示装置によれば、静電気保護回路が占める面積を低下させることができる。
2021526657.tif 000002
【特許請求の範囲】
【請求項１】
静電気保護回路であって、
高レベル電圧が印加される第１電圧線と、
低レベル電圧が印加される第２電圧線と、
直線に沿って配置され且つ活性層を共有する複数の第１スイッチユニット及び複数の第２スイッチユニットを含むスイッチアセンブリと、を含み、
前記複数の第１スイッチユニットは、それぞれ複数本の信号線と第１電圧線との間に接続され、信号線における負の静電気に応答してオンになり、
前記複数の第２スイッチユニットは、それぞれ複数本の信号線と第２電圧線との間に接続され、信号線における正の静電気に応答してオンになる
ことを特徴とする静電気保護回路。
【請求項２】
前記複数本の信号線は、アレイ基板の周辺領域に設置される
請求項１に記載の静電気保護回路。
【請求項３】
前記複数の第１スイッチユニット及び前記複数の第２スイッチユニットが位置する直線は、前記複数本の信号線の一方側に設置される
請求項１又は２に記載の静電気保護回路。
【請求項４】
同一の信号線に対応する第１スイッチユニット及び第２スイッチユニットは、互いに隣接して配置される
請求項１から請求項３のいずれか１項に記載の静電気保護回路。
【請求項５】
前記同一の信号線に対応する第１スイッチユニット及び第２スイッチユニットは、スイッチユニット群を構成し、
前記同一の信号線に対応するスイッチユニット群は、同一の信号線接続用線を介して信号線に接続される
請求項４に記載の静電気保護回路。
【請求項６】
互いに隣接するスイッチユニット群は、第１スイッチユニットが互いに隣接するように、或いは第２スイッチユニットが互いに隣接するように配置される
請求項５に記載の静電気保護回路。
【請求項７】
互いに隣接する第１スイッチユニットは、同一の第１電圧線接続用線を介して第１電圧線に接続され、
互いに隣接する第２スイッチユニットは、同一の第２電圧線接続用線を介して第２電圧線に接続される
請求項６に記載の静電気保護回路。
【請求項８】
前記スイッチアセンブリは、
第１スイッチアセンブリと、第２スイッチアセンブリと、を含み、
第１スイッチアセンブリの第１スイッチユニット及び第２スイッチユニットは、第１直線に沿って配置され、
第２スイッチアセンブリの第１スイッチユニット及び第２スイッチユニットは、第１直線に平行する第２直線に沿って配置される
請求項１又は２に記載の静電気保護回路。
【請求項９】
前記複数本の信号線は、複数本の第１信号線と、複数本の第２信号線と、を含み、
第１スイッチアセンブリが位置する第１直線及び第２スイッチアセンブリが位置する第２直線は、前記複数本の第１信号線と前記複数本の第２信号線との間に設置される
請求項８に記載の静電気保護回路。
【請求項１０】
第１スイッチアセンブリのうちの少なくとも１つの第１スイッチユニット及び第２スイッチアセンブリのうちの少なくとも１つの第１スイッチユニットは、同一の第１電圧線接続用線を介して第１電圧線に接続され、
第１スイッチアセンブリのうちの少なくとも１つの第２スイッチユニット及び第２スイッチアセンブリのうちの少なくとも１つの第２スイッチユニットは、同一の第２電圧線接続用線を介して第２電圧線に接続される
請求項９に記載の静電気保護回路。
【請求項１１】
第１スイッチユニットは、直列に接続された第１トランジスタと、第２トランジスタと、を含み、
第２スイッチユニットは、直列に接続された第３トランジスタと、第４トランジスタと、を含む
請求項１から請求項１０のいずれか１項に記載の静電気保護回路。
【請求項１２】
第１トランジスタの第１端は、信号線に接続され、第１トランジスタのゲートと第２端は、互いに接続され、
第２トランジスタの第１端は、第１トランジスタの第２端に接続され、第２トランジスタの第２端とゲートは、互いに接続され且つ第１電圧線に接続され、
第３トランジスタの第１端とゲートは、互いに接続され且つ信号線に接続され、
第４トランジスタの第１端とゲートは、互いに接続され且つ第３トランジスタの第２端に接続され、第４トランジスタの第２端は、第２電圧線に接続される
請求項１１に記載の静電気保護回路。
【請求項１３】
第１トランジスタ、第２トランジスタ、第３トランジスタ及び第４トランジスタは、直線に沿って配置された活性層を共有する
請求項１２に記載の静電気保護回路。
【請求項１４】
アレイ基板であって、
前記アレイ基板の周辺領域に設置される複数本の信号線と、
前記複数本の信号線に接続される請求項１から請求項１３のいずれか１項に記載の静電気保護回路と、を含む
ことを特徴とするアレイ基板。
【請求項１５】
前記静電気保護回路の第１電圧線は、ゲート高電圧信号線を含み、
前記静電気保護回路の第２電圧線は、ゲート低電圧信号線を含む
請求項１４に記載のアレイ基板。
【請求項１６】
請求項１４又は１５に記載のアレイ基板を含むことを特徴とする表示装置。
【発明の詳細な説明】
【技術分野】
【０００１】
本願は、２０１８年６月４日に出願した出願番号が２０１８２０８５５１１６．７であって、発明名称が「静電気保護回路、アレイ基板及び表示装置」である中国実用新案の出願に基づき優先権を主張し、当該中国実用新案の出願の内容の全てを本願に援用する。
本願は、表示技術分野に関し、特に、アレイ基板、表示パネル及び表示装置に関する。
【背景技術】
【０００２】
現在、液晶ディスプレイ、有機発光ダイオードディスプレイなどの表示装置が広く使用されている。このような表示装置は、マトリクス状に配列された複数の画素を駆動するための走査線及びデータ線ようなの複数の信号線を含む。
【０００３】
表示装置の使用中において、静電気が信号線に沿って表示装置に流入される可能性があるので、表示装置の内部の部品を損傷することがある。通常、表示装置に静電気保護又は静電気放電（ＥＳＤ）回路を設置することで、静電気が表示装置に流入されてその内部の部品を損傷することを防ぐ。
【０００４】
通常、このような静電気保護回路は、表示装置のアレイ基板の周辺領域に設置される。この場合、静電気保護回路がアレイ基板の周辺領域において占める面積が大きくなると、表示装置の狭額縁デザインに不利である。
このため、静電保護回路が占める面積を低減することが望まれている。
【発明の概要】
【発明が解決しようとする課題】
【０００５】
本発明の実施例は、静電気保護回路、アレイ基板及び表示装置に関する。
【課題を解決するための手段】
【０００６】
本発明の一態様によれば、静電気保護回路を提供する。前記静電気保護回路は、高レベル電圧が印加される第１電圧線と、低レベル電圧が印加される第２電圧線と、直線に沿って配置され且つ活性層を共有する複数の第１スイッチユニット及び複数の第２スイッチユニットを含むスイッチアセンブリと、を含み、前記複数の第１スイッチユニットは、それぞれ複数本の信号線と第１電圧線との間に接続され、信号線における負の静電気に応答してオンになり、前記複数の第２スイッチユニットは、それぞれ複数本の信号線と第２電圧線との間に接続され且つ信号線における正の静電気に応答してオンになる。
【０００７】
いくつかの実施例によれば、前記複数本の信号線は、アレイ基板の周辺領域に設置される。
【０００８】
いくつかの実施例によれば、前記複数の第１スイッチユニット及び前記複数の第２スイッチユニットが位置する直線は、前記複数本の信号線の一方側に設置される。
【０００９】
いくつかの実施例によれば、同一の信号線に対応する第１スイッチユニット及び第２スイッチユニットは、互いに隣接して配置される。
【００１０】
いくつかの実施例によれば、前記同一の信号線に対応する第１スイッチユニット及び第２スイッチユニットは、スイッチユニット群を構成し、前記同一の信号線に対応するスイッチユニット群は、同一の信号線接続用線を介して信号線に接続される。
【００１１】
いくつかの実施例によれば、互いに隣接するスイッチユニット群は、第１スイッチユニットが互いに隣接するように、或いは、第２スイッチユニットが互いに隣接するように配置される。
【００１２】
いくつかの実施例によれば、互いに隣接する第１スイッチユニットは、同一の第１電圧線接続用線を介して第１電圧線に接続され、互いに隣接する第２スイッチユニットは、同一の第２電圧線接続用線を介して第２電圧線に接続される。
【００１３】
いくつかの実施例によれば、スイッチアセンブリは、第１スイッチアセンブリと、第２スイッチアセンブリと、を含む。第１スイッチアセンブリの第１スイッチユニット及び第２スイッチユニットは、第１直線に沿って配置され、第２スイッチアセンブリの第１スイッチユニット及び第２スイッチユニットは、第１直線に平行する第２直線に沿って配置される。
【００１４】
いくつかの実施例によれば、前記複数本の信号線は、複数本の第１信号線と、複数本の第２信号線と、を含む。第１スイッチアセンブリが位置する第１直線及び第２スイッチアセンブリが位置する第２直線は、前記複数本の第１信号線と前記複数本の第２信号線との間に設置される。
【００１５】
いくつかの実施例によれば、第１スイッチアセンブリのうちの少なくとも１つの第１スイッチユニット及び第２スイッチアセンブリのうちの少なくとも１つの第１スイッチユニットは、同一の第１電圧線接続用線を介して第１電圧線に接続される。第１スイッチアセンブリのうちの少なくとも１つの第２スイッチユニット及び第２スイッチアセンブリのうちの少なくとも１つの第２スイッチユニットは、同一の第２電圧線接続用線を介して第２電圧線に接続される。
【００１６】
いくつかの実施例によれば、第１スイッチユニットは、直列に接続された第１トランジスタと、第２トランジスタと、を含み、第２スイッチユニットは、直列に接続された第３トランジスタと、第４トランジスタと、を含む。
【００１７】
いくつかの実施例によれば、第１トランジスタの第１端は、信号線に接続され、第１トランジスタのゲート及び第２端は、互いに接続される。第２トランジスタの第１端は、第１トランジスタの第２端に接続され、第２トランジスタの第２端およびゲートは、互いに接続され且つ第１電圧線に接続される。第３トランジスタの第１端及びゲートは、互いに接続され且つ信号線に接続される。第４トランジスタの第１端及びゲートは、互いに接続され且つ第３トランジスタの第２端に接続され、第４トランジスタの第２端は、第２電圧線に接続される。
【００１８】
いくつかの実施例によれば、第１トランジスタ、第２トランジスタ、第３トランジスタ及び第４トランジスタは、直線に沿って配置された活性層を共有する。
【００１９】
本発明の別の態様によれば、アレイ基板を提供する。前記アレイ基板は、複数本の信号線と、前記複数本の信号線に接続されている上記の静電気保護回路と、を含む。
【００２０】
いくつかの実施例によれば、静電気保護回路の第１電圧線は、ゲート高電圧信号線を含み、静電気保護回路の第２電圧線は、ゲート低電圧信号線を含む。
【００２１】
本発明のさらに別の態様によれば、上記のアレイ基板を含む表示装置を提供する。
【００２２】
図面は、本発明に対するさらなる理解を提供するために含まれ、本願に組み入れて本願の一部分を構成する。図面は、本発明の実施例を例示するためいのものであり、明細書とともに本発明の原理を解釈するように構成される。
【図面の簡単な説明】
【００２３】
【図１】静電気保護回路の模式図を示す。
【図２】本発明の一例示的な実施例に係る静電気保護回路の模式図を示す。
【図３】本発明の他の例示的な実施例に係る静電気保護回路の模式図を示す。
【発明を実施するための形態】
【００２４】
以下、図面を参照しながら、本発明の例示的な実施例をより全般的に説明する。しかしながら、実施例は、様々な形態で実施されることができ、本明細書にて説明する記載の例示に限定されるものであると理解されるべきではない。逆に、これらの実施例の提供することは、本発明をより全般的に全面にさせ、本発明の構想を全般的に当業者に伝えるためである。
【００２５】
また、説明する特徴、構成又は特性は、任意の適切な方式で１つ又は複数の実施例に組み合わせることができる。
【００２６】
なお、本明細書において用語「備える」及び／又は「含む」が使用される場合、上記の特徴、全体、ユニット及び／又はアセンブリが存在していることを意味するが、１つ又は複数の他の特徴、全体、ユニット、アセンブリ及び／又はそれらの組み合わせを含み又は追加する場合を排除するものではない。
【００２７】
以下、図面を参照しながら、本発明を詳細に解釈する。
【００２８】
図１は、静電気保護回路の模式図を示す。
【００２９】
当該静電気保護回路は、図１に示すように、信号線ＳＬをそれぞれ直列に接続された２つのトランジスタを介して低レベル電圧線（例えば、ゲート低電圧信号線）ＶＧＬ及び高レベル電圧線（例えば、ゲート高電圧信号線）ＶＧＨに接続させることで、信号線ＳＬにおける正の静電気及び負の静電気をそれぞれ低レベル電圧線ＶＧＬと高レベル電圧線ＶＧＨとを介して導出させるので、信号線ＳＬにおける高電圧の静電気が表示装置の内部の部品を損傷することを回避することができる。
【００３０】
具体的には、信号線ＳＬは、第１トランジスタＴＦＴ１及び第２トランジスタＴＦＴ２を介して低レベル電圧線ＶＧＬに接続されている。第１トランジスタＴＦＴ１は、信号線ＳＬに接続されるドレインと、当該ドレイン及び信号線ＳＬに接続されるゲートと、第２トランジスタＴＦＴ２のドレインに接続されるソースと、を含む。第２トランジスタＴＦＴ２は、第１トランジスタＴＦＴ１のソースに接続されるドレインと、低レベル電圧線ＶＧＬに接続されるソースと、当該ドレインに接続されるゲートと、を含む。第１トランジスタＴＦＴ１及び第２トランジスタＴＦＴ２は、信号線ＳＬに正の静電気が印加される場合、当該正の静電気に応答してオンになり、信号線ＳＬにおける正の静電気を低レベル電圧線ＶＧＬに案内させることによって、高電圧の正の静電気が信号線ＳＬに沿って表示装置の内部の部品に伝送されてこれを損傷することを回避することができる。
【００３１】
信号線ＳＬは、さらに、第３トランジスタＴＦＴ３及び第４トランジスタＴＦＴ４を介して高レベル電圧線ＶＧＨに接続されている。第３トランジスタＴＦＴ３は、信号線ＳＬに接続されるソースと、第４トランジスタＴＦＴ４のソースに接続されるドレインと、当該ドレインに接続されるゲートと、を含む。第４トランジスタＴＦＴ４は、第３トランジスタＴＦＴ３のドレインに接続されるソースと、高レベル電圧線ＶＧＨに接続されるドレインと、当該ドレイン及び高レベル電圧線ＶＧＨに接続されるゲートと、を含む。第３トランジスタＴＦＴ３及び第４トランジスタＴＦＴ４は、信号線ＳＬに負の静電気が印加される場合、当該負の静電気に応答してオンになり、信号線ＳＬにおける負の静電気を高レベル電圧線ＶＧＨに案内させることによって、高電圧の負の静電気が信号線ＳＬに沿って表示装置の内部の部品に伝送されてこれを損傷させることを回避することができる。
【００３２】
図１に示す静電気保護回路の構成において、表示装置の複数本の信号線のそれぞれには、このような静電保護回路が個別に設置される。また、各静電保護回路には、活性層（アクティブレイヤー；ａｃｔｉｖｅ ｌａｙｅｒ）が個別に設置されている（即ち、一方の信号線に対応する静電気保護回路の活性層が、他方の信号線に対応する静電気保護回路の活性層と別に設置されている。）。このように、静電気保護回路がアレイ基板の周辺領域において占める面積が大きいので、表示装置の狭額縁デザインに不利である。
【００３３】
本発明の例示的な実施例は、静電気保護回路を提供する。上記静電気保護回路は、アレイ基板の周辺領域において小さい面積を占めるので、表示装置の狭額縁設計に寄与することができる。
【００３４】
図２は、本発明の一例示的な実施例に係る静電気保護回路の模式図を示す。
【００３５】
上記静電気保護回路は、図２に示すように、第１信号線ＳＬ１、第２信号線ＳＬ２及び第３信号線ＳＬ３を含む複数本の信号線に適用されることができる。ここで、複数本の信号線は、アレイ基板の周辺領域に設置され、即ち、アレイ基板の表示領域以外の領域に設置されている。説明の便宜上、ここでは３本の信号線のみを示したが、当業者には明らかなように、例えば、４本又はこれ以上のより多くの信号線を設置することができる。
【００３６】
上記静電気保護回路は、高レベル電圧が印加される第１電圧線ＶＬ１と、低レベル電圧が印加される第２電圧線ＶＬ２と、直線に配置され且つ活性層ＡＬ１を共有する複数の第１スイッチユニットＳ１１〜Ｓ１３及び複数の第２スイッチユニットＳ２１〜Ｓ２３を含むスイッチアセンブリと、を含むことができる。ここで、複数の第１スイッチユニットＳ１１〜Ｓ１３及び複数の第２スイッチユニットＳ２１〜Ｓ２３が位置する直線は、ほぼ信号線の方向に沿って伸びている。
【００３７】
ここで、複数の第１スイッチユニットＳ１１〜Ｓ１３は、それぞれ複数本の信号線ＳＬ１〜ＳＬ３と第１電圧線ＶＬ１との間に接続され、そして、信号線ＳＬ１〜ＳＬ３における負の静電気に応答してオンになることによって、信号線ＳＬ１〜ＳＬ３における負の静電気を第１電圧線ＶＬ１に案内させるので、信号線ＳＬ１〜ＳＬ３における高電圧の負の静電気が表示装置の内部の部品に伝送されてこれを損傷することを回避することができる。
【００３８】
複数の第２スイッチユニットＳ２１〜Ｓ２３は、それぞれ複数本の信号線ＳＬ１〜ＳＬ３と第２電圧線ＶＬ２の間に接続され、そして、信号線ＳＬ１〜ＳＬ３における正の静電気に応答してオンになることによって、信号線ＳＬ１〜ＳＬ３における正の静電気を第２電圧線ＶＬ２に案内させるので、信号線ＳＬ１〜ＳＬ３における高電圧の正の静電気が表示装置の内部の部品に伝送されてこれを損傷することを回避することができる。
【００３９】
上記のように、例示的な本実施例に係る静電気保護回路において、複数本の信号線に使用する複数の第１スイッチユニット及び複数の第２スイッチユニットが直線に配置されるとともに、活性層を共有するので、上記静電気保護回路が占める面積が小さくなり、表示装置の狭額縁設計に寄与することができる。
【００４０】
いくつかの実施例において、高レベル電圧が印加される第１電圧線ＶＬ１は、表示装置におけるゲート高電圧信号線であり、低レベル電圧が印加される第２電圧線ＶＬ２は、表示装置におけるゲート低電圧信号線であってもよいが、本発明ではこれに限定しない。第１電圧線ＶＬ１及び第２電圧線ＶＬ２は、それぞれ表示装置において単独に設置された、高レベル電圧が印加される電圧線及び低レベル電圧が印加される電圧線であってもよい。
【００４１】
図２に示すように、第１スイッチユニットＳ１１〜Ｓ１３のそれぞれは、複数本の電圧線接続用線ＶＣＬ１１及びＶＣＬ１２を介して第１電圧線ＶＬ１に接続されるとともに、複数本の信号線接続用線ＳＣＬ１〜ＳＣＬ３を介して第１信号線ＳＬ１〜第３信号線ＳＬ３に接続されている。第２スイッチユニットＳ２１〜Ｓ２３のそれぞれは、複数本の電圧線接続用線ＶＣＬ２１及びＶＣＬ２２を介して第２電圧線ＶＬ２に接続されるとともに、複数本の信号線接続用線ＳＣＬ１〜ＳＣＬ３を介して第１信号線ＳＬ１〜第３信号線ＳＬ３に接続されている。
【００４２】
具体的には、第１スイッチユニットＳ１１は、一端が、第１信号線接続用線ＳＣＬ１を介して第１信号線ＳＬ１に接続され、他端が、第２電圧線接続用線ＶＣＬ２１を介して第１電圧線ＶＬ１に接続されるので、第１スイッチユニットＳ１１が第１信号線ＳＬ１と第１電圧線ＶＬ１との間に接続される。また、第１スイッチユニットＳ１１が第１信号線ＳＬ１における負の静電気に応答してオンになることで、第１信号線ＳＬ１における高電圧の負の静電気が第１電圧線ＶＬ１に伝送されるので、第１信号線ＳＬ１における高電圧の負の静電気が表示装置の内部の部品に伝送されてこれを損傷することを回避することができる。
【００４３】
第２スイッチユニットＳ２１は、一端が、第１信号線接続用線ＳＣＬ１を介して第１信号線ＳＬ１に接続され、他端が、第１電圧線接続用線ＶＣＬ１１を介して第２電圧線ＶＬ２に接続されるので、第２スイッチユニットＳ２１が第１信号線ＳＬ１と第２電圧線ＶＬ２との間に接続される。また、第２スイッチユニットＳ２１が第１信号線ＳＬ１における正の静電気に応答してオンになることで、第１信号線ＳＬ１における高電圧の正の静電気が第２電圧線ＶＬ２に伝送されるので、第１信号線ＳＬ１における高電圧の正の静電気が表示装置の内部の部品に伝送されてこれを損傷することを回避することができる。
【００４４】
第１スイッチユニットＳ１２は、一端が、第２信号線接続用線ＳＣＬ２を介して第２信号線ＳＬ２に接続され、他端が、第１電圧線接続用線ＶＣＬ２１を介して第１電圧線ＶＬ１に接続されるので、第１スイッチユニットＳ１２が第２信号線ＳＬ２と第１電圧線ＶＬ１との間に接続される。また、第１スイッチユニットＳ１２が第２信号線ＳＬ２における負の静電気に応答してオンになることで、第２信号線ＳＬ２における高電圧の負の静電気が第１電圧線ＶＬ１に伝送されるので、第２信号線ＳＬ２における高電圧の負の静電気が表示装置の内部の部品に伝送されてこれを損傷することを回避することができる。
【００４５】
第２スイッチユニットＳ２２は、一端が、第２信号線接続用線ＳＣＬ２を介して第２信号線ＳＬ２に接続され、他端が、第３電圧線接続用線ＶＣＬ１２を介して第２電圧線ＶＬ２に接続されるので、第２スイッチユニットＳ２２が第２信号線ＳＬ２と第２電圧線ＶＬ２との間に接続される。また、第２スイッチユニットＳ２２が第２信号線ＳＬ２における正の静電気に応答してオンになることで、第２信号線ＳＬ２における高電圧の正の静電気が第２電圧線ＶＬ２に伝送されるので、第２信号線ＳＬ２における高電圧の正の静電気が表示装置の内部の部品に伝送されてこれを損傷することを回避することができる。
【００４６】
第１スイッチユニットＳ１３は、一端が、第３信号線接続用線ＳＣＬ３を介して第３信号線ＳＬ３に接続され、他端が、第４電圧線接続用線ＶＣＬ２２を介して第１電圧線ＶＬ１に接続されるので、第１スイッチユニットＳ１３が第３信号線ＳＬ３と第１電圧線ＶＬ１との間に接続される。また、第１スイッチユニットＳ１３が第３信号線ＳＬ３における負の静電気に応答してオンになることで、第３信号線ＳＬ３における高電圧の負の静電気が第１電圧線ＶＬ１に伝送されるので、第３信号線ＳＬ３における高電圧の負の静電気が表示装置の内部の部品に伝送されてこれを損傷することを回避することができる。
【００４７】
第２スイッチユニットＳ２３は、一端が、第３信号線接続用線ＳＣＬ３を介して第３信号線ＳＬ３に接続され、他端が、第３電圧線接続用線ＶＣＬ１２を介して第２電圧線ＶＬ２に接続されるので、第２スイッチユニットＳ２３が第３信号線ＳＬ３と第２電圧線ＶＬ２との間に接続される。また、第２スイッチユニットＳ２３が第３信号線ＳＬ３における正の静電気に応答してオンになることで、第３信号線ＳＬ３における高電圧の正の静電気が第２電圧線ＶＬ２に伝送されるので、第３信号線ＳＬ３における高電圧の正の静電気が表示装置の内部の部品に伝送されてこれを損傷することを回避することができる。
【００４８】
いくつかの実施例において、同一の信号線に対応する第１スイッチユニット及び第２スイッチユニットは、互いに隣接して配置されてもよい。図２に示すように、第１信号線ＳＬ１に対応する第１スイッチユニットＳ１１及び第２スイッチユニットＳ２１は、互いに隣接して配置されてもよい。第２信号線ＳＬ２に対応する第１スイッチユニットＳ１２及び第２スイッチユニットＳ２２は、互いに隣接して配置されてもよい。第３信号線ＳＬ３に対応する第１スイッチユニットＳ１３及び第２スイッチユニットＳ２３は、互いに隣接して配置されてもよい。
【００４９】
上記の構成は、信号線接続用線の数を効果的に低減させることができる。具体的には、同一の信号線に対応する第１スイッチユニット及び第２スイッチユニットの組み合わせをスイッチユニット群と称することができる。また、同一の信号線に対応するスイッチユニット群は、同一の信号線接続用線を介して信号線に接続されることができる。例えば、図２に示すように、第１スイッチユニットＳ１１及び第２スイッチユニットＳ２１、第１スイッチユニットＳ１２及び第２スイッチユニットＳ２２、第１スイッチユニットＳ１３及び第２スイッチユニットＳ２３は、それぞれスイッチユニット群を構成することができる。第１スイッチユニットＳ１１及び第２スイッチユニットＳ２１から構成されるスイッチユニット群（以下、第１スイッチユニット群と称する。）は、第１信号線接続用線ＳＣＬ１を介して第１信号線ＳＬ１に接続され、第１スイッチユニットＳ１２及び第２スイッチユニットＳ２２とから構成されるスイッチユニット群（以下、第２スイッチユニット群と称する。）は、第２信号線接続用線ＳＣＬ２を介して第２信号線ＳＬ２に接続され、第１スイッチユニットＳ１３及び第２スイッチユニットＳ２３から構成されるスイッチユニット（以下、第３スイッチユニット群と称する。）は、第３信号線接続用線ＳＣＬ３を介して第３信号線ＳＬ３に接続される。上記から分かるように、このような構成は、信号線接続用線をスイッチユニットにより共有させることができる。例えば、第１信号線接続用線ＳＣＬ１は、第１スイッチユニットＳ１１及び第２スイッチユニットＳ２１により共有され、第２信号線接続用線ＳＣＬ２は、第１スイッチユニットＳ１２及び第２スイッチユニットＳ２２により共有され、第３信号線接続用線ＳＣＬ３は、第１スイッチユニットＳ１３及び第２スイッチユニットＳ２３により共有されることができるので、信号線接続用線の数を効果的に低減することができ、これにより、静電気保護回路が占める面積を低下させることに寄与することができる。
【００５０】
いくつかの実施例において、互いに隣接するスイッチユニット群は、第１スイッチユニットが互いに隣接するように、或いは第２スイッチユニットが互いに隣接するように配置されることができる。図２に示すように、互いに隣接する第１スイッチユニット群及び第２スイッチユニット群は、第１スイッチユニットＳ１１と第１スイッチユニットＳ１２とが互いに隣接するように配置され、また、互いに隣接する第２スイッチユニット群及び第３スイッチユニット群は、第２スイッチユニットＳ２２と第２スイッチユニットＳ２３とが互いに隣接するように配置される。
【００５１】
上記の構成は、信号線接続用線の数を効果的に低減することができる。具体的には、このような構成において、互いに隣接する第１スイッチユニットは、同一の電圧線接続用線を介して第１電圧線に接続され、互いに隣接する第２スイッチユニットは、同一の電圧線接続用線を介して第２電圧線に接続されてもよい。例えば、図２に示すように、互いに隣接する第１スイッチユニットＳ１１、Ｓ１２は、第２電圧線接続用線ＶＣＬ２１を介して第１電圧線ＶＬ１に接続され、互いに隣接する第２スイッチユニットＳ２２、Ｓ２３は、第３電圧線接続用線ＶＣＬ１２を介して第２電圧線ＶＬ２に接続される。上記から分かるように、このような構成は、電圧線接続用線が互いに隣接するスイッチユニットにより共有されることができる。例えば、第２電圧線接続用線ＶＣＬ２１は、互いに隣接する第１スイッチユニットＳ１１、Ｓ１２により共有され、第３電圧線接続用線ＶＣＬ１２は、互いに隣接する第２スイッチユニットＳ２２、Ｓ２３により共有されることができるので、信号線接続用線の数を効果的に低減することができる。これにより、静電気保護回路が占める面積を低下させることに寄与することができる。
【００５２】
いくつかの実施例において、第１スイッチユニットＳ１１〜Ｓ１３のうちのスイッチユニットのそれぞれは、いずれも直列に接続される第１トランジスタと第２トランジスタとを含み、例えば、図１に示す直列に接続される第３トランジスタＴＦＴ３及び第４トランジスタＴＦＴ４に類似している。第２スイッチユニットＳ２１〜Ｓ２３のうちのスイッチユニットのそれぞれは、いずれも直列に接続される第３トランジスタと第４トランジスタとを含み、例えば、図１に示す直列に接続される第１トランジスタＴＦＴ１及び第２トランジスタＴＦＴ２に類似している。
【００５３】
具体的には、第１スイッチユニットＳ１１と第２スイッチユニットＳ２１を一例とすると、第１スイッチユニットＳ１１に含まれる第１トランジスタの第１端（例えば、ソース）は、第１信号線接続用線ＳＣＬ１を介して第１信号線ＳＬ１に接続され、ゲート及び第２端（例えば、ドレイン）は互いに接続される。第１スイッチユニットＳ１１に含まれる第２トランジスタの第１端（例えば、ソース）は、第１トランジスタの第２端に接続され、第２端（例えば、ドレイン）及びゲートは、互いに接続されるとともに、第２電圧線接続用線ＶＣＬ２１を介して第１電圧線ＶＬ１に接続される。第２スイッチユニットＳ２１に含まれる第３トランジスタの第１端（例えば、ドレイン）及びゲートは、互いに接続されるとともに、第１信号線ＳＣＬ１を介して第１信号線ＳＬ１に接続される。第２スイッチユニットＳ２１に含まれる第４トランジスタの第１端（例えば、ドレイン）とゲートは、互いに接続されるとともに、第３トランジスタの第２端（例えば、ソース）に接続され、第２端（例えば、ソース）は、第１電圧線接続用線ＶＣＬ１を介して第２電圧線ＶＬ２に接続される。
【００５４】
第１スイッチユニットＳ１１及び第２スイッチＳ２１に同様に、第１スイッチユニットＳ１２〜Ｓ１３のうちの第１トランジスタ及び第２トランジスタ、第２スイッチユニットＳ２２〜Ｓ２３のうちの第３トランジスタ及び第４トランジスタを配置してもよいが、ここではその説明を省略する。
【００５５】
また、このような場合、スイッチアセンブリにおける第１トランジスタ、第２トランジスタ、第３トランジスタ及び第４トランジスタは、いずれも直線に配置されるとともに、活性層を共有することができる。即ち、第１トランジスタ、第２トランジスタ、第３トランジスタ及び第４トランジスタのソース・ドレインは、直線に配置されるとともに、これらが共有する活性層もこの直線に沿って配置される。
【００５６】
ここで、第１トランジスタ〜第４トランジスタは、ＮＭＯＳトランジスタであってもよいが、当業者は、本発明がこれに限定されないものを理解することができる。
【００５７】
図２に示す例示的な実施例において、複数の第１スイッチユニット及び複数の第２スイッチユニットが位置する直線は、複数本の信号線の一方側に設置される。即、スイッチアセンブリは、複数本の信号線の一方側に設置されている。しかしながら、本発明の例示的な実施例は、これに限定されなく、複数の第１スイッチユニット及び複数の第２スイッチユニットが位置する直線は、複数本の信号線の間に設置されることができる。即ち、スイッチアセンブリは、複数本の信号線の間に設置されてもよい。
【００５８】
次に、図面３を参照しながら、このような例示的な実施例を説明する。
【００５９】
図３は、本発明の他の例示的な実施例に係る静電気保護回路の模式図を示す。
【００６０】
上記静電気保護回路は、図３に示すように、第１信号線ＳＬ１〜第６信号線ＳＬ６を含む複数本の信号線に適用されることができる。また、上記静電気保護回路のスイッチアセンブリは、第１信号線ＳＬ１〜第３信号線ＳＬ３を含む複数本の信号線と第４信号線ＳＬ４〜第６信号線ＳＬ６を含む複数本の信号線との間に設置される。
【００６１】
上記静電気保護回路は、高レベル電圧が印加される第１電圧線ＶＬ１と、低レベル電圧が印加される第２電圧線ＶＬ２と、第１スイッチアセンブリ及び第２スイッチアセンブリを含むスイッチアセンブリと、を含むことができる。例示的な本実施例において、第１スイッチアセンブリは、第１直線に沿って配置され且つ第１活性層ＡＬ１を共有する複数の第１スイッチユニットＳ１１〜Ｓ１３及び複数の第２スイッチユニットＳ２１〜Ｓ２３を含む。第２スイッチアセンブリは、第２直線に沿って配置され且つ第２活性層ＡＬ２を共有する複数の第１スイッチユニットＳ１４〜Ｓ１６及び複数の第２スイッチユニットＳ２４〜Ｓ２６を含む。本発明のいくつかの例示的な実施例において、第１スイッチアセンブリのスイッチユニットが位置する第１直線及び第２スイッチアセンブリのスイッチユニットが位置する第２直線は、互いに平行に配置されることができる。
【００６２】
ここで、第１スイッチアセンブリは、第１信号線ＳＬ１〜ＳＬ３に使用され、第２スイッチアセンブリは、第４信号線ＳＬ４〜第６信号線ＳＬ６に使用される。また、第１スイッチアセンブリのうちの第１スイッチユニット及び第２スイッチユニットの構造、配置及び信号線との接続方式は、図２に示すものに類似している。同様に、第２スイッチアセンブリのうちの第１スイッチユニット及び第２スイッチユニットの構造、配置及び信号線との接続方式は、図２に示すものに類似しているので、ここではその説明を省略する。
【００６３】
第１スイッチアセンブリ及び第２スイッチアセンブリは、図３に示すように、複数本の信号線の間に設置されることができる。具体的には、第１スイッチアセンブリが位置する第１直線及び第２スイッチアセンブリが位置する第２直線は、第１信号線ＳＬ１〜第３信号線ＳＬ３を含む複数本の信号線及び第４信号線ＳＬ４〜第６信号線ＳＬ６を含む複数本の信号線に設置される。このような構成により、電圧線接続用線の数を低減することができるので、静電気保護回路が占める面積を低下させ、表示装置の狭額縁設計に寄与することができる。
【００６４】
具体的には、いくつかの実施例において、第１スイッチアセンブリのうちの少なくとも１つの第１スイッチユニット及び第２スイッチアセンブリのうちの少なくとも１つの第１スイッチユニットは、同一の電圧線接続用線を介して第１電圧線に接続され、第１スイッチアセンブリのうちの少なくとも１つの第２スイッチユニット及び第２スイッチアセンブリのうちの少なくとも１つの第２スイッチユニットは、同一の電圧線接続用線を介して第２電圧線に接続されることができる。
【００６５】
例えば、図３に示すように、第１スイッチアセンブリのうちの第１スイッチユニットＳ１１、Ｓ１２及び第２スイッチアセンブリのうちの第１スイッチユニットＳ１４、Ｓ１５は、同一の第２電圧線接続用線ＶＣＬ２１を介して第１電圧線ＶＬ１に接続され、第１スイッチアセンブリのうちの第１スイッチユニットＳ１３及び第２スイッチアセンブリのうちの第１スイッチユニットＳ１６は、同一の第４電圧線接続用線ＶＣＬ２２を介して第１電圧線ＶＬ１に接続され、第１スイッチアセンブリのうちの第２スイッチユニットＳ２１及び第２スイッチアセンブリのうちの第２スイッチユニットＳ２４は、同一の第１電圧線接続用線ＶＣＬ１１を介して第２電圧線ＶＬ２に接続されている。第１スイッチアセンブリのうちの第２スイッチユニットＳ２２、Ｓ２３及び第２スイッチアセンブリのうちの第２スイッチユニットＳ２５、Ｓ２６は、同一の第３電圧線接続用線ＶＣＬ１２を介して第２電圧線ＶＬ２に接続されている。
【００６６】
例示的な本実施例において、電圧線接続用線は、複数の第１スイッチユニット又は複数の第２スイッチユニットにより共有されることができるので、電圧線接続用線の数を低減することができる。これにより、静電気保護回路が占める面積を低下させ、表示装置の狭額縁設計に寄与することができる。
【００６７】
本発明の上記の例示的な実施形態に対する説明から分かるように、本発明の例示的な実施例に係る静電保護回路は、小さな面積を占めるので、表示装置の狭額縁設計に寄与することができる。
【００６８】
本発明の例示的な実施例は、さらに、上記の静電気保護回路を含むアレイ基板を提供する。また、上記アレイ基板は、上記の静電気保護回路に接続される複数本の信号線をさらに含む。いくつかの実施例において、信号線は、走査線またはデータ線であってもよい。また、いくつかの実施例において、静電気保護回路の第１電圧線は、ゲート高電圧信号線であり、第２電圧線は、ゲート低電圧信号線であってもよい。
【００６９】
また、本発明の例示的な実施例は、さらに、上記の上述アレイ基板を含む表示装置を提供する。
【００７０】
以上、図面を参照しながら、本発明の特定の例示的な実施例を説明した。これらの例示的な実施例は、網羅的であること、或いは本発明を開示された特定の形態に限定することを意図するものではない。また、上記の示唆によって、当業者が多くの修正及び変更を行うことができることは明らかである。したがって、本発明の範囲は、前述した実施例に限定されることを意図するものではなく、特許請求の範囲及びその均等物により限定されることを意図するものである。
【符号の説明】
【００７１】
Ｓ１１〜Ｓ１３  ・・・第１スイッチユニット
Ｓ２１〜Ｓ２３  ・・・第２スイッチユニット
ＳＬ１〜ＳＬ３  ・・・信号線
ＴＦＴ１  ・・・第１トランジスタ
ＴＦＴ２  ・・・第２トランジスタ
ＴＦＴ３  ・・・第３トランジスタ
ＴＦＴ４  ・・・第４トランジスタ
ＶＣＬ１１  ・・・第１電圧線接続用線
ＶＣＬ１２  ・・・第３電圧線接続用線
ＶＣＬ２１  ・・・第２電圧線接続用線
ＶＣＬ２２  ・・・第４電圧線接続用線
ＶＬ１  ・・・第１電圧線
ＶＬ２  ・・・第２電圧線
ＶＧＬ  ・・・低レベル電圧線
ＶＧＨ  ・・・高レベル電圧線
【図１】
2021526657.tif 000003
【図２】
2021526657.tif 000004
【図３】
2021526657.tif 000005
【国際調査報告】
2021526657.tif 000006
2021526657.tif 000007
2021526657.tif 000008
2021526657.tif 000009